(57)【要約】  本発明は、第1のレーザ光線103を発するためのレーザ102と、回析反射素子104とを有する照明装置に関する。反射された第1のレーザ光線である第2のレーザ光線105を生成するために、第1のレーザ光線103が回析反射素子104によって反射され、第2のレーザ光線105の有効表面積が第1のレーザ光線103の有効表面積よりも大きくなるよう、回析反射素子104が適応される。第2のレーザ光線は、ヒトの目に直接又は間接的に向けられると想定される。回析反射素子が有効表面積を増大させ、且つ反射モードで使用される。即ち、第1のレーザ光線はヒトの目に概して直接当たらないだろうから、回析反射素子が損傷を受けたか又は位置がずれた場合でも、目を損傷する危険を減じることができる。
2013522862.tif 000002
【特許請求の範囲】
【請求項１】
第1のレーザ光線を発するためのレーザと、回析反射素子とを有する照明装置であって、反射された当該第1のレーザ光線である第2のレーザ光線を生成するために前記回析反射素子によって前記第1のレーザ光線が反射されるよう、前記第1のレーザ光線と前記回析反射素子とが配置され、前記第2のレーザ光線の有効表面積が前記第1のレーザ光線の有効表面積よりも大きくなるよう前記回析反射素子が適応されている、照明装置。
【請求項２】
前記回析反射素子がホログラフィック反射素子である、請求項１に記載の照明装置。
【請求項３】
前記第2のレーザ光線が目に安全であるために、当該第2のレーザ光線の有効表面積を増大させるよう前記回析反射素子が適応される、請求項１に記載の照明装置。
【請求項４】
前記回析反射素子に当たる前の前記第1のレーザ光線を拡大させるよう、前記照明装置が適応される、請求項１に記載の照明装置。
【請求項５】
前記第2のレーザ光線の光強度の半値全幅に対応する角度が60度未満である、請求項１に記載の照明装置。
【請求項６】
光のパターンが前記第2のレーザ光線によって作り出されるよう、前記回析反射素子が適応される、請求項１に記載の照明装置。
【請求項７】
前記照明装置が更に、光のパターンを作り出すための光パターン生成ユニットを有し、前記第1のレーザ光線及び前記第2のレーザ光線のうちの少なくとも一つが前記光のパターンを作り出すための前記光パターン生成ユニットに当たるよう、前記レーザ、前記回析反射素子、及び前記光パターン生成ユニットが配置される、請求項１に記載の照明装置。
【請求項８】
前記光パターン生成ユニットが動的な光のパターンを作り出すよう適応される、請求項７に記載の照明装置。
【請求項９】
前記光パターン生成ユニットが、受動的な回折光学素子、受動的な反射光学素子、液晶に基づいた光空間変調器、及びマイクロ機械エレメントのうちの少なくとも一つを有する、請求項７に記載の照明装置。
【請求項１０】
レーザによって第1のレーザ光線を発するステップと、反射された当該第1のレーザ光線である第2のレーザ光線を生成するために、前記第1のレーザ光線を回析反射素子によって反射させるステップとを含む照明方法であって、前記第2のレーザ光線の有効表面積が前記第1のレーザ光線の有効表面積よりも大きくなるよう、前記回析反射素子が適応される、照明方法。
【発明の詳細な説明】
【技術分野】
【０００１】
本発明は、照明装置及び照明方法に関する。
【背景技術】
【０００２】
米国特許公開公報US 2007/0109784 A1は、発散レンズにより拡大され、収束レンズによって平行にされるレーザ光線を発するレーザを備えた照明装置を開示している。拡散された光線を生成するために、拡大された平行光線が透過ホログラフィック拡散器へと導かれる。拡散された光線は拡大された断面をもち、広範囲にわたる反射光源を光路に沿って増減する光出力にて提供する。ホログラフィック拡散器によって作り出された広範囲にわたる光源は、人間の目の網膜上に広範囲の画像を生じさせる。従来の設計において普通であった点光源の画像と比較して、広範囲の網膜画像は、より高い出力をもつレーザ照射を許容する。
【発明の開示】
【発明が解決しようとする課題】
【０００３】
この照明装置には欠点がある。即ち、照明装置のホログラフィック拡散器が損傷した場合、網膜上の画像の寸法が変化し、特に減じられることがある。これは、網膜上における光強度が増し、したがって、網膜に損傷を与える危険が増すことに至る。
【課題を解決するための手段】
【０００４】
本発明の目的は、レーザを有する照明装置及び照明方法を提供することであり、これらの提供により、レーザ光によって網膜に損傷を与える危険を減じることができる。
【０００５】
本発明の第1の態様において照明装置が提示され、同装置は第1のレーザ光線を発するためのレーザと回析反射素子とを有し、反射された第1のレーザ光線である第2のレーザ光線を生成するための回析反射素子によって第1のレーザ光線が反射されるよう、第1のレーザ光線及び回析反射素子が配置される。また、回析反射素子は、第2のレーザ光線の有効表面積が第1のレーザ光線の有効表面積よりも大きくなるよう適応される。
【０００６】
第2のレーザ光線がレンズを用いて集束できる最小の焦点エリアが、第1のレーザ光線が同じレンズを用いて焦束できる最小の焦点エリアよりも大きい場合、第2のレーザ光線の有効表面積は、第1のレーザ光線の有効表面積よりも大きい。
【０００７】
第2のレーザ光線の有効表面積が第1のレーザ光線の有効表面積よりも大きくなるよう回析反射素子が適応されるので、第1のレーザ光線が焦束されることができる網膜上の最小の焦点エリアよりも大きな網膜上の焦点エリアにのみ、第2のレーザ光線が焦束されることができる。これは、網膜上におけるレーザ光線の最大受け入れ可能な光強度を減じ、したがって、網膜に損傷を与えるリスクを減じる。さらに、第2のレーザ光線は、直接または間接的にヒトの目に向けられると考えられる。回析反射素子が損傷を受けるか又は位置がずれて第1のレーザ光線が回析反射素子に当たらぬか又は適切に当たらない場合、特に第1のレーザ光線が回析反射素子に全く当たらない場合、第1のレーザ光線がヒトの目に向かうことはないであろうし、ヒトの網膜に集束することはないであろう。何故ならば、本照明装置は反射モードで動作するからである。即ち、第2のレーザ光線は反射された第1のレーザ光線であり、透過された第1のレーザ光線ではないからである。これが更にヒトの網膜に損傷を与えるリスクを減少させる。
【０００８】
第2のレーザ光線は、依然としてレーザの特性をもつレーザ光線である。例えば第2のレーザ光線は、レンズのような光学素子を使用して高効率の平行レーザ光線にコリメートされることができ、第2のレーザ光線は依然としてコヒーレントである。
【０００９】
回析反射素子は、好ましくはホログラフィック反射素子である。ホログラフィック反射素子は、所望する照明パターンに基づいてホログラムを算出することによって生成することができ、また、算出されたホログラムに対応するサブミクロンの造作を感光性ポリマのような感光性材料の層にレーザを用いて記録することによって生成することができ、さらに、反射層、例えばアルミニウム層を好ましくは蒸着にてサブミクロンの造作の上に置くことによって生成できる、コンピュータ生成されたホログラムである。ホログラフィック反射素子はホログラムを算出せずに生成することもできる。表面の凹凸がホログラフィック照射技術を使用して作られることができる。同技術は、感光性ポリマのような感光性材料へのサブミクロン造作のレーザ記録が関与する。記録されたサブミクロン造作を有する斯様な感光性材料は、大量生産用に容易に複製されることができる。次に、反射層がサブミクロン造作上に例えば蒸着により配置される。反射層は、好ましくはアルミニウム層であるが、しかし別の反射層、特に別の金属層のこともある。感光性材料は、好ましくは感光層又は感光フィルムである。
【００１０】
ホログラフィック反射素子が体積ホログラムのこともある。体積ホログラムは、光屈折性材料のような感光性の体積材料内に屈折率の変化の形態でホログラフィック拡散器を記録することによって生成できる。反射層が存在しない場合、これらの体積ホログラムが反射性であるよう適応されることができる。しかしながら、体積ホログラムが、第1のレーザ光線が同体積ホログラムを横断しないことを確実にする反射層を具備することもできる。
【００１１】
ホログラフィック反射素子は、画像、言葉、等々を作り出すよう好ましくは適応される。
【００１２】
回析反射素子、特にホログラフィック反射素子は、第1のレーザ光線と比較して、第2のレーザ光線がより大きな角度に回析されるよう好ましくは適応されており、より大きな角度に回析された第2のレーザ光線がレンズを用いて平行にされる。
【００１３】
第2のレーザ光線が目に安全であるために、第2のレーザ光線の有効表面積を増すよう回析反射素子が適応されることが更に好ましい。好ましくは、網膜上において規定された最大光強度以下のあらゆる光強度が網膜に損傷を与えないよう、目の安全に対する網膜上の最大光強度が規定される。照明装置は、健康な目の網膜上の最大限受け入れ可能な光強度が第2のレーザ光線の最大パワーによって規定され、最小の焦点エリアは、目の安全性に対して規定された最大光強度以下にあるよう好ましくは適応される。目の安全性に対して網膜上で規定された最大光強度は103 Wcm2未満であり、更に好ましくは102 Wcm2未満である。回析反射素子における第1のレーザ光線の反射によって複数の第2のレーザ光線が生じる場合、照明装置は、健康な目の網膜上における複数の第2のレーザ光線の各々の最大限受け入れ可能な光強度が、目の安全性に対して規定された最大限の光強度以下にあるよう好ましくは適応される。これは、第2のレーザ光線がヒトの目へと導かれた場合でも、ヒトの網膜が損傷を受けないだろうことを確実にする。複数の第2のレーザ光線のうちの一つが焦束された網膜上のエリアの光強度は、局所的な光強度と考えられることが可能である。
【００１４】
回析反射素子に当たる前に第1のレーザ光線を拡大するよう、照明装置が適応されることが更に好ましい。例えば照明装置は、第1のレーザ光線を拡大するための少なくとも一つのレンズを有する拡大ユニットを有する。同拡大ユニットは、平行な第1のレーザ光線を拡大した平行な第1のレーザ光線へと変えるための二つのレンズを有することができる。又は同拡大ユニットは、第1のレーザ光線の発散特性を増すために、拡大用のレンズが同様に使われることができ、又はレーザに由来する発散特性が、第1のレーザ光線を拡大するために使うことができる。第1のレーザ光線を拡大することが目の安全性を更に増す。特に、第1のレーザ光線が拡大されない場合、第2のレーザ光線、即ち回析反射素子により反射された第1のレーザ光線が目に安全ではないことが考えられる。第1のレーザ光線が拡大されなかった場合、健康な目の網膜上の光強度、特に局所的な光強度が、目の安全性に対して規定された上記最大光強度よりも大きいことがあり得る。この場合、例えば、網膜上での画像のサイズを増大させ、これによって一つあるいは複数の第2のレーザ光線の最小限集束可能な面積を増すために、回析反射素子上にある第1のレーザ光線の断面積を増すよう、第1のレーザ光線が好ましくは拡大される。これは、網膜上での最大の受け入れ可能な光強度を減じ、第1のレーザ光線は、網膜の最大受け入れ可能な光強度を目の安全性に対して規定された最大光強度以下に減じるよう好ましくは適応される。
【００１５】
第2のレーザ光線の光強度の半値全幅に対応する角度が60度未満であることが好ましく、更に好ましくは40度未満であり、10度未満であることが一層更に好ましい。光線の強度は、軸であって当該軸に沿って光強度が最大値をもつ同軸に対する角度θにより規定されるアジマス角に概して依存しており、角度θは-90度から+90度までの範囲にある。角度＋θ1及び-θ2が、光強度が最大強度の半分に等しい角度として規定されることができる。光強度の半値全幅に対応する角度が、次にθ1＋θ2として好ましくは規定される。上述の範囲にある第2のレーザ光線の強度の半値全幅に対応する角度をもつ第2のレーザ光線は、平行な第2のレーザ光線を生成するためのレンズなどの単純な光学部品を用いて容易に平行にされることができる。
【００１６】
光のパターンが第2のレーザ光線によって作られるよう、回析反射素子が適応されることが更に好ましい。光のパターンとは例えば対象物の画像である。特に照明装置は光のパターンを作り出すための光パターン生成ユニットを好ましくは有し、第1のレーザ光線及び第2のレーザ光線のうちの少なくとも一つが光のパターンを作り出すための光パターン生成ユニットに当たるよう、レーザ、回析反射素子、及び光パターン生成ユニットが配置される。また、第2のレーザ光線が目に安全であるよう、光パターン生成ユニットが適応される。光パターン生成ユニットは、静的な光のパターン又は動的な光のパターンを作り出すよう適応されることができる。動的な光のパターンとは、静的ではない、動く光のパターンである。
【００１７】
光パターン生成ユニットは、受動的な回析光学素子、受動的な反射光学素子、液晶に基づく光空間変調器、及びマイクロ機械エレメントのうちの少なくとも一つを好ましくは有する。液晶に基づく光空間変調器及び/又はマイクロ機械エレメントが、動的な光のパターンを生成するために使用されることができる。
【００１８】
以上により、照明装置は静的な光のパターン又は動的な光のパターンを生成するよう適応されることができ、網膜に損傷を与える危険が特に減じられ、照明装置は目に安全である。静的な光のパターン又は動的な光のパターンが、例えば、民生用のアプリケーションで使われることができ、例えば、部屋の壁のような対象物、ショーウィンドウ内にある対象物、等々が装飾的に照明される。
【００１９】
本発明の更なる態様において照明方法が提示され、当該方法は、
-    レーザによって第1のレーザ光線を発するステップと、
-    反射された第1のレーザ光線である第2のレーザ光線を生成するための回析反射素子によって第1のレーザ光線を反射するステップと、
を含み、第2のレーザ光線の有効表面積が第1のレーザ光線の有効表面積よりも大きくなるよう、回析反射素子が適応される。
【００２０】
請求項１に記載の照明装置及び請求項１０に記載の照明方法が、特に従属請求項において規定された類似及び/又は同一の好ましい実施例を有すると理解されたい。本発明の好ましい実施例が、それぞれの従属請求項と独立請求項とのいかなる組合せのこともあり得ると理解されたい。
【００２１】
本発明のこれらの態様及び他の態様が、これ以降説明されている実施例から明らかになり、当該実施例を引用して解明されることであろう。
【図面の簡単な説明】
【００２２】
【図１】照明装置の第1の実施例を典型例として概観的に示す。
【図２】照明装置の第2の実施例を典型例として概観的に示す。
【図３】照明装置の第3の実施例を典型例として概観的に示す。
【図４】照明方法の実施例を典型例として例示しているフローチャートを示す。
【発明を実施するための形態】
【００２３】
図1は、第1のレーザ光線3を発するためのレーザ2を有する照明装置1の実施例を典型例として概観的に示す。照明装置1は更に、本実施例においてはホログラフィック反射素子である回析反射素子4を有する。第1のレーザ光線3は、同レーザ光線3を平行にするためのレンズ7によって平行にされ、第1のレーザ光線3の発散特性を利用して、レンズ7にて平行にされる前に第1のレーザ光線3が拡大される。第1のレーザ光線3及びホログラフィック反射素子4は、第2のレーザ光線5を生成するためのホログラフィック反射素子4によって第1のレーザ光線3が反射されるよう配置される。第2のレーザ光線5は、少なくとも部分的に異なる方向を向く複数の反射光線6を有する。ホログラフィック反射素子4は、第2のレーザ光線5の有効表面積が第1のレーザ光線3の有効表面積よりも大きくなるよう適応される。
【００２４】
第2のレーザ光線5は、依然としてレーザの特性を備えたレーザ光線である。例えば、第2のレーザ光線5は、レンズのような光学素子を使用して高効率の平行レーザ光線にコリメートされることができ、依然としてコヒーレントである。
【００２５】
第2のレーザ光線5は、ヒトの目へと直接導くことができる。または、特にレンズを用いて投影することにより、壁のような対象物若しくはショーウィンドウ内の対象物へと導くことができる。第2のレーザ光線5は、例えば、装飾的に照明されねばならない対象物へと導くことができる。
【００２６】
回析反射素子に当たる前のレーザ光線が第1のレーザ光線として表され、回析反射素子に当たった後のレーザ光線が第2のレーザ光線として表される。
【００２７】
照明装置の種々異なるエレメント、特にレーザ2、レンズ7、ホログラフィック反射素子4、及び考え得る更なるエレメントが、支持体上に好ましくは配置される。特に、第2のレーザ光線5がケーシングから出てゆくための窓を備えたケーシング内に、照明装置の種々異なるエレメントが配置される。窓12を有する斯様なオプションのケーシングが、図1において破線11によって典型例として概観的に示されている。
【００２８】
ホログラフィック反射素子4は、第2のレーザ光線5が第1のレーザ光線3と比較してより大きな角度に回析されるよう適応されており、より大きく回析された第2のレーザ光線5は、レンズ（図示せず）を用いて平行にされる。図1に示す実施例では、ホログラフィック反射素子4に当たるときに、第1のレーザ光線3は十分に平行にされる。第2のレーザ光線5は、より平行ではなく、レーザ光線3の放射光即ち第2のレーザ光線が、第1のレーザ光線よりも大きな角度へと回析される。
【００２９】
第2のレーザ光線5はレンズによって、特に健康な目のレンズによって集束可能であり、第1のレーザ光線が同じレンズを用いて集束される第1のレーザ光線3の最小の焦点エリアよりも大きな最小の焦点エリアへと集束可能であるようホログラフィック反射素子4が適応される。ホログラフィック反射素子4は、第2のレーザ光線5が目に安全であるために、第2のレーザ光線5の有効表面積を増すよう適応される。また、第2のレーザ光線5が60度未満の、好ましくは40度未満、更に好ましくは10度未満の強度の半値全幅に対応する角度を有するよう、レーザ2及びホログラフィック反射素子4が適応される。
【００３０】
図2は、レーザ102及びホログラフィック反射素子104を有する照明装置101の更なる実施例を典型例として概観的に示す。レーザ102は、ホログラフィック反射素子104へと導かれ且つ反射される第1のレーザ光線103を発する。反射した第1のレーザ光線は第2のレーザ光線105を形成し、レンズ109によって壁のような対象物、ショーウィンドウ内の対象物、等々に投影される。第2のレーザ光線105の有効表面積が第1のレーザ光線103の有効表面積よりも大きくなるよう、ホログラフィック反射素子104が適応される。また、第2のレーザ光線105は、依然としてレーザの特性を備えている。例えば、第2のレーザ光線105は、レンズのような光学素子を使用して高効率の平行レーザ光線にコリメートされることもでき、依然としてコヒーレントである。また、第2のレーザ光線105は、好ましくは60度未満の強度の半値全幅に対応する角度を有する。また、第2のレーザ光線105はレンズによって、特に健康な目のレンズによって集束可能であり、第1のレーザ光線が同じレンズを用いて集束される第1のレーザ光線103の最小の焦点エリアよりも大きな最小の焦点エリアへと集束可能であるよう、ホログラフィック反射素子104が適応される。特に、第2のレーザ光線105が目に安全であるために、第2のレーザ光線105の有効表面積を増すよう回析反射素子104が適応される。
【００３１】
照明装置101は更に、光のパターン110を作り出すための光パターン生成ユニット108を有し、レーザ102、回析反射素子104、及び光パターン生成ユニット108は、第1のレーザ光線103が光のパターン110を作り出すためのホログラフィック反射素子104に当たる前に、光パターン生成ユニット108によって影響を及ぼされるよう配置される。加えて、又は代わりに、光パターン生成ユニットが、光のパターンを作り出すための第2のレーザ光線105中に配置されることもできる。光パターン生成ユニット108は、静的な光のパターン及び/又は動的な光のパターンを作り出すよう適応されることができる。光パターンユニット108は、受動的な回折光学素子、受動的な反射光学素子、液晶に基づいた光空間変調器、又はマイクロ機械エレメントのうちの少なくとも一つを有する。例えば動的な光のパターンを生成するために、第1のレーザ光線103を常時調整するよう光空間変調器が適応されることができる。光パターン生成ユニットは、第1のレーザ光線及び/又は第2のレーザ光線の位相及び/又は振幅を変調することによって光のパターン、特に、画像を作り出すためのTexas Instrument社のDLPのようなマイクロ機械エレメントを有することもできる。光パターン生成ユニット、特にマイクロ機械エレメントが反射モードで動作する場合、レーザ102により生成された第1の光線が光パターン生成ユニット108により反射されるよう、図2の配置が変更されねばならず、光パターン生成ユニット108により反射された第1のレーザ光線は、第2のレーザ光線を生成するためのホログラフィック反射素子104へと導かれる。
【００３２】
照明装置101は更に、照明装置101の種々異なるエレメントを支持するための支持体を有する。好ましくは照明装置101は、種々異なるエレメントが配置されるケーシング111を有し、同ケーシング111は、第2のレーザ光線105が同ケーシングから出てゆくための窓112を有する。
【００３３】
図3は、第1のレーザ光線203を発するためのレーザ202と、ホログラフィック反射素子204とを有する照明装置201の更なる実施例を典型例として概観的に示す。反射された第1のレーザ光線である第2のレーザ光線205を生成するためのホログラフィック反射素子204によって第1のレーザ光線203が反射されるよう、第1のレーザ光線203及びホログラフィック反射素子204が配置されている。第2のレーザ光線205の有効表面積が第1のレーザ光線203の有効表面積よりも大きく、光のパターン210が第2のレーザ光線205によって作り出されるよう、ホログラフィック反射素子204が適応されている。光のパターン210は例えば対象物の画像であり、同画像は例えば映写レンズ209を用いて壁に投影される。ホログラフィック反射素子204は、所望する配光を作り出すために干渉及び回折を用いて動作する好ましくは薄い位相素子である。このホログラフィック反射素子は、2値の位相プロフィール及びアナログの位相プロフィールの両方により製造されることができる。当該位相プロフィールを、表面の凹凸又は屈折率の分布の形態で感光性ポリマのような感光材料中に作り出すことができる。
【００３４】
また、第2のレーザ光線205は依然としてレーザの特性を備えている。例えば、第2のレーザ光線205は、レンズのような光学素子を使用して高効率の平行レーザ光線にコリメートされることもでき、依然としてコヒーレントである。更に、第2のレーザ光線205は、好ましくは第2のレーザ光線205の強度の半値全幅に対応する、好ましくは60度未満の角度をもつ光強度の分布も有する。
【００３５】
また、第2のレーザ光線205はレンズによって、特に健康な目のレンズによって集束可能であり、第1のレーザ光線が同じレンズを用いて集束される第1のレーザ光線203の最小の焦点エリアよりも大きな最小の焦点エリアへと集束可能であるよう、ホログラフィック反射素子204が適応される。特に、第2のレーザ光線205が目に安全であるために、第2のレーザ光線205の有効表面積を増すよう回析反射素子204も適応される。
【００３６】
照明装置201の複数のエレメントが支持体上に、特に第2のレーザ光線205がケーシング211から出てゆくための窓212を備えたケーシング211内に配置される。
【００３７】
以下において、図4に示されるフローチャートを参照して、照明方法の実施例が典型例として説明されることであろう。
【００３８】
ステップ301において、第1のレーザ光線がレーザにより発され、ステップ302において、反射された第1のレーザ光線である第2のレーザ光線を生成するための回析反射素子によって第1のレーザ光線が反射される。ここで、第2のレーザ光線の有効表面積が第1のレーザ光線の有効表面積よりも大きくなるよう、回析反射素子が適応される。ステップ301及び302が同時に実行されることができる点に留意されたい。即ち、第1のレーザ光線が発されると同時に、第2のレーザ光線を生成するための回析反射素子によって第1のレーザ光線が反射されることができる。
【００３９】
特にレーザが民生用アプリケーションで使われるようになった場合、レーザの目に対する安全性は重要なポイントのうちの一つである。斯様な光源を目に全く安全にすることは、レーザ光出力を極めて低い値に下げることを概して意味しており、これは、照明アプリケーション用には殆ど適さない。レーザからの光が人間の目のレンズによって小さなスポットへと焦束されることができ、光強度が大変高く目が損傷を受けるので、レーザ光の目に対する安全性の課題が生じる。ヒトの目に損傷を与える危険を減らすために、本照明装置は回析反射素子、特にホログラフィック反射素子を使用し、当該素子は反射モードで動作する。ヒトの目により集束された場合、より大きなスポットが目の網膜に得られ、レーザスポットの光強度がより低くなるよう、回析反射素子がレーザ光線の有効面積を増大させる。この態様で、この光強度が人間の目の損傷閾値よりも低いよう照明装置が好ましくは適応されるので、レーザ光は無害となる。網膜に損傷を与える危険を減少させると共に、特に回析反射素子を用いて照明装置を目に対して安全にすると同時に、第2のレーザ光線のユニークな特性、例えば干渉性、高輝度性、及びコリメーション特性が維持される。そのうえ、透過モードのコンポーネントを使用する周知の照明装置においては透過コンポーネントが損傷を受けるという可能性があり、レーザ光がシステムから抜け出すことがあり、偶然に、変調されること無く人の目に導かれることがある。回析反射素子が損傷した及び/又は変位した場合、レーザ光は自身の光路を直接維持することができず、且つ照明装置から出てゆくことができず、これによって照明装置に特別なセキュリティを与えるよう、本発明による照明装置は回析反射素子を使用する。特に本照明装置は、透過型のエレメントとは反対の回析反射素子を用いて特別なセキュリティを与えるよう、好ましくは適応されている。何故ならば、回析反射素子が破壊されるか、又は偶然位置がずれるか、又は偶然取り外された場合でも、直接のレーザ光即ち第1のレーザ光線が照明装置から出てゆくことが出来ないからである。
【００４０】
上で説明された照明装置の実施例の特定のエレメントの他に、複数の実施例が更なるエレメントを有することができる。例えば、ある実施例は照明装置のオン/オフを切替えるためのスイッチを有することができる。さらに、複数の異なる光パターン生成ユニットが設けられることができ、同ユニットは、異なる光のパターンを生成するよう交換可能である。更にまた、ある実施例で使用されたエレメントが別の実施例で使用されることもできる。例えば、照明装置の実施例がホログラフィック反射素子204を有することができ、同実施例では、光のパターンが第2のレーザ光線と、加えて光パターン生成ユニット108とによって作り出されるよう適応されている。
【００４１】
開示された実施例に対する他のバリエーションが、図面、開示物、及び添付の請求項の学習から、請求された本発明を実施する際に当業者により理解されることができ且つ遂行されることができる。
【００４２】
請求項において、単語「有する」が他のエレメント又はステップを除外することはなく、不定冠詞「a」又は「an」が複数を除外することはない。
【００４３】
単一のユニット又は単一のデバイスが、請求項に詳述されている複数の項目の機能を実現してもよい。特定の手段が相互に異なる従属請求項において再引用されているという単なる事実は、これらの手段の組合せが有効に使われることができないことを示してはいない。
【００４４】
請求項中のいかなる参照符号も、本発明の範囲を限定するものとして解釈されてはならない。
【００４５】
本発明は、第1のレーザ光線を発するためのレーザと、回析反射素子とを有する照明装置に関する。反射された第1のレーザ光線である第2のレーザ光線を生成するための回析反射素子によって第1のレーザ光線が反射され、第2のレーザ光線の有効表面積が第1のレーザ光線の有効表面積よりも大きくなるよう、回析反射素子が適応される。第2のレーザ光線は、ヒトの目に直接又は間接的に向けられると想定される。回析反射素子が有効表面積を増大させ、且つ反射するモードで使用される。即ち、第1のレーザ光線はヒトの目に概して直接当たらないだろうから、回析反射素子が損傷を受けたか又は位置がずれた場合でも、目を損傷する危険を減じることができる。
【図１】
2013522862.tif 000003
【図２】
2013522862.tif 000004
【図３】
2013522862.tif 000005
【図４】
2013522862.tif 000006
【国際調査報告】
2013522862.tif 000007
2013522862.tif 000008
2013522862.tif 000009